(57)【要約】【課題】  耐水性が良好で、机などの平坦な載置面上で移動することなく安定に載置することができるとともに、碁石を置くときに、木の感触で良好な安定感を得ることができるという、机上で使用可能で正規の碁盤と変わらない大きさの機能を有し軽く、扱い易い軽量本格的碁盤を提供する。【解決手段】  軽量本格的碁盤（１）は、耐水性の紙から成る、正規の碁盤の碁盤表面を再現した碁盤格子を構成する印刷層（１４）が印刷された表面シート（４）を、新建材の基板（２）の基板表面（９）に貼付けて成る。【選択図】      図１
2015058197.tif 000002
【特許請求の範囲】
【請求項１】
耐水性の紙から成る正規の碁盤の碁盤格子が印刷されたシートを、新建材の基板の表面に貼付けて成る軽量本格的碁盤。
【請求項２】
前記シートは、前記基板の側面から裏面にわたって折り曲げられて、基板にくるみ貼りされていることを特徴とする請求項１に記載の軽量本格的碁盤。
【請求項３】
前記基板の裏面には、前記シートと同じ材質である耐水性の紙から成る裏面シートが貼付けられていることを特徴とする請求項１または２に記載の軽量本格的碁盤。
【請求項４】
前記基板の裏面には、前記裏面シート上に、滑り止め材が貼着されていることを特徴とする請求項３に記載の軽量本格的碁盤。
【請求項５】
前記基板は、碁盤格子に沿って細長く延びる同一寸法形状の一対の碁盤半体から成り、
前記一対の碁盤半体は、製本テープによって補強された状態で折り曲げ自在に連結されていることを特徴とする請求項１〜４のいずれか１つに記載の軽量本格的碁盤。
【発明の詳細な説明】
【技術分野】
【０００１】
本発明は、机上で使用可能で正規の碁盤と変わらない大きさの機能を有し軽く、扱い易い軽量本格的碁盤に関する。
【背景技術】
【０００２】
従来から、囲碁というものは、和室の畳の上で行われる場合が多いため、正規の碁盤は厚みのある木製の板に４つの脚を設けて、重くかつ盤面を高くしているものが重宝されて多用されていたが、近年は、椅子、机の生活となり、囲碁クラブでは、厚い板盤で脚のある重い碁盤は敬遠され、脚のない板盤だけものが多く利用されている。
【０００３】
また、自治会などの囲碁クラブの練習においても、厚みが３〜５ｃｍ程度の折畳み式の木製板から成る碁盤が多く使用され、脚の付いた正規の碁盤を使うことはない。その理由としては、正規の碁盤は持ち運びが大変であり、また木製の碁盤に代わる適当なものがないことによる。すなわち、従来技術の碁盤では、（ａ）重く、持ち運びにくく、設置および片付け作業に多くの労力を要し、（ｂ）木の感触が出ないので、打った石がずれやすく、（ｃ）安定が悪いために動きやすく、（ｄ）木製の碁盤を合成樹脂によって製造すると、重量が大きくなり、（ｅ）碁盤表面の強度が低いために、長期にわたって使用することができない、という問題がある。
【０００４】
類似の他の従来技術は、たとえば特許文献１に開示されている。この従来技術では、２枚の碁盤半体の裏面に、１枚のシート体を貼着して各碁盤半体が互いに連結された状態で折畳み自在な、安定性の向上された碁盤が提案されている。
【０００５】
２枚の碁盤半体の裏面に貼着されるシート体は、厚さ０．３ｍｍ〜１ｍｍ程度の可撓性を有する塩化ビニル、ポリエチレン、ポリプロピレンなどの合成樹脂製のシートから成る。
【先行技術文献】
【特許文献】
【０００６】
【特許文献１】実用新案登録第３０９５５９７号公報
【発明の概要】
【発明が解決しようとする課題】
【０００７】
前述の他の従来技術の碁盤は、薄く軽量であるとともに碁盤の平面性が低いため、持運びが容易であるが、机などの平坦な載置面上に載置して使用するとき、前記碁盤が載置された机の表面に対して滑り易く、碁盤が容易に移動してしまうという、前述の第１の従来技術と同様な問題がある。また前記従来技術の碁盤は、碁盤表面に耐水性がなく、汚れ易いものであるので、長期にわたって使用することができないという問題がある。また前記従来技術の碁盤は、各碁盤半体の表面に碁盤格子が形成されるので、木の感触が得られず、碁石が滑り易く、碁石を置いたときの安定感が悪いという問題がある。
【０００８】
本発明の目的は、前述の第１の従来技術および前述の他の従来技術の問題を解決し、耐水性が良好で、机などの平坦な載置面上で移動することなく安定に載置することができるとともに、碁石を置くときに、木の感触で良好な安定感を得ることができるという、机上で使用可能で正規の碁盤と変わらない大きさの機能を有し軽く、扱い易い軽量本格的碁盤を提供することである。
【課題を解決するための手段】
【０００９】
本発明は、耐水性の紙から成る正規の碁盤の碁盤格子が印刷されたシートを、新建材の基板の表面に貼付けて成る軽量本格的碁盤である。
【００１０】
また本発明の軽量本格的碁盤において、前記シートは、前記基板の側面から裏面にわたって折り曲げられて、基板にくるみ貼りされていることを特徴とする。
【００１１】
また本発明の軽量本格的碁盤において、前記基板の裏面には、前記シートと同じ材質である耐水性の紙から成る裏面シートが貼付けられていることを特徴とする。
【００１２】
また本発明の軽量本格的碁盤において、前記基板の裏面には、前記裏面シート上に、滑り止め材が貼着されていることを特徴とする。
【００１３】
また本発明の軽量本格的碁盤において、前記基板は、碁盤格子に沿って細長く延びる同一寸法形状の一対の碁盤半体から成り、
前記一対の碁盤半体は、製本テープによって補強された状態で折り曲げ自在に連結されていることを特徴とする。
【発明の効果】
【００１４】
本発明によれば、軽量本格的碁盤は、シートが新建材の基板の表面に貼付けられて構成されている。この基板に貼付けられるシートは、耐水性の紙から成り、正規の碁盤の碁盤格子が印刷されたものである。基板が新建材によって構成されているので、軽量化が図れ、かつ軽量本格的碁盤に碁石を載置したときに木の感触が得られるとともに、机などの平坦な載置面上で移動することなく安定に載置することができる。
【００１５】
また、基板に貼付けられるシートは、耐水性の紙から成り、正規の碁盤の碁盤格子が印刷されたものであるので、耐水性が良好で汚れ難いものとなり、長期にわたって使用することができる。
【００１６】
したがって、本発明の軽量本格的碁盤は、机上で使用可能で正規の碁盤と変わらない大きさの機能を有し、軽くて扱い易く、本格的な囲碁を楽しむことができる碁盤を実現することができる。
【００１７】
また本発明によれば、基板に貼付けられるシートは、基板の側面から裏面にわたって折り曲げられて、基板にくるみ貼りされている。また、基板の裏面には、前記シートと同じ材質である耐水性の紙から成る裏面シートが貼付けられている。これによって、たとえば、軽量本格的碁盤を立てかけて保管した場合であっても、反りなどの変形が発生するのを防止することができるとともに、シートが基板から剥がれること、および角部が損傷することを防止することができる。
【００１８】
また本発明によれば、基板の裏面には、裏面シート上に、滑り止め材が貼着されている。これによって、軽量本格的碁盤を、机などの平坦な載置面上で移動することなく安定に載置することができる。
【００１９】
また本発明によれば、基板は、碁盤格子に沿って細長く延びる同一寸法形状の一対の碁盤半体から成り、一対の碁盤半体は、製本テープによって補強された状態で折り曲げ自在に連結されている。これによって、軽量本格的碁盤を折り曲げ自在とした上で、平坦状に展開した使用時において折り曲げ部分に段差がなく、製本テープの補強効果によって、繰り返される折り曲げに十分耐えることができる。
【図面の簡単な説明】
【００２０】
【図１】本発明の一実施形態の軽量本格的碁盤１の構成を示す一部の拡大断面図である。
【図２】軽量本格的碁盤１の外観全体を示す斜視図である。
【図３】表面シート４の展開図である。
【図４】表面シート４と裏面シート６との関係を示す分解斜視図である。
【図５】軽量本格的碁盤１の底面図である。
【図６】滑り止め材８の構成を示す斜視図である。
【図７】本発明の他の実施形態の軽量本格的碁盤１ａを示す斜視図である。
【図８】図７に示す軽量本格的碁盤１ａの底面図である。
【図９】軽量本格的碁盤１ａを折畳んだ状態を示す斜視図である。
【図１０】軽量本格的碁盤１ａの構成を示す図であり、図１０（ａ）は一部の拡大断面図を示し、図１０（ｂ）は図９の切断面線ＶＩＩ−ＶＩＩから見た断面図を示す。
【発明を実施するための形態】
【００２１】
図１は、本発明の一実施形態の軽量本格的碁盤１の構成を示す一部の拡大断面図であり、図２は軽量本格的碁盤１の外観全体を示す斜視図であり、図３は表面シート４の展開図であり、図４は表面シート４と裏面シート６との関係を示す分解斜視図であり、図５は軽量本格的碁盤１の底面図であり、図６は滑り止め材８の構成を示す斜視図である。なお、図１は、図解を容易にするため、軽量本格的碁盤１が厚み方向に拡大して示されている。
【００２２】
本実施形態の軽量本格的碁盤１は、個人の自宅、集合所、学校、病院、養護施設、介護施設などにおいて、複数枚をまとめて保管する場合に有利に実施することができる。軽量本格的碁盤１は、平面視の寸法が正規の碁盤と同一の、図２で示されるＬ１×Ｌ２が約４５５ｍｍ×約４１０ｍｍの矩形であり、かつ厚さＤ１が約４ｍｍ〜７ｍｍ程度の新建材から成る基板２と、可撓性を有し、基板２に接着剤３ａによってくるみ貼りされるシート体である表面シート４と、表面シート４がくるみ貼りされた基板２に裏側から接着剤５ａによって貼付けられる裏面シート６と、裏面シート６が貼付けられた基板２に裏側から両面接着テープ７によって貼付けられる複数の帯状の滑り止め材８Ａ，８Ｂ，８Ｃ，８Ｄ（以下、滑り止め材を総称するときには「滑り止め材８」という）とを含んで構成される。前記接着剤３ａ，５ａは、硬化することによって接着層３，５を形成する。
【００２３】
基板２は、新建材から成る。新建材としては、木質繊維を原料とする成型板（ファイバーボード）の一種である中密度繊維板(Medium Density Fiber Board;略称ＭＤＦ)、ダウ化工株式会社製のザ・スリム（登録商標）、一体押出成形によるポリプロピレン製の中空構造板であるプラダンシート、硬質ウレタンやポリエステル等から成るポリプレート、発泡ポリスチレンボードであるデコパネ（登録商標）、ベニヤ板を用いることができる。
【００２４】
基板２を構成する新建材としては、上記の中でも、中密度繊維板を用いることが好ましい。その理由は、中密度繊維板が、同じ木材チップ材を原料とするパーティクルボードや配向性ストランドボード（ＯＳＢ）に比べて構成要素（セグメント）が小さく、表面だけでなく木口部分も平滑であり、木材の様に軽量で高い加工性を持ち、かつ、木材特有の反りや乾燥割れなどの癖が少なく、均質で極めて安価であるからである。
【００２５】
基板２に表面シート４を貼付けるための接着剤３ａ、および、基板２に裏面シート５を貼付けるための接着剤５ａは、たとえば酢酸ビニル樹脂を主成分とする水性系接着剤である、いわゆる木工用接着剤が用いられる。
【００２６】
基板２の４辺の上縁辺部２ａおよび下縁辺部２ｂは、たとえば曲率半径Ｒが１〜２ｍｍ程度の１／４円を成して各辺に沿って延びる、外方に凸に湾曲した湾曲面によって面取り
されている。
【００２７】
表面シート４は、耐水性の紙から成る、正規の碁盤の碁盤格子が印刷されたものである。また、表面シート４は、基板２の側面から裏面にわたって折り曲げられて、基板２にくるみ貼りされている。
【００２８】
表面シート４を構成する耐水性の紙としては、ストーンペーパーなどを用いることができる。ストーンペーパーは、原料に木材チップやケナフなどを使用せず、石から抽出した無機鉱物粉末から成る。このようなストーンペーパーとしては、株式会社ＴＢＭ製のＫｅｅｐｌｕｓ（登録商標）ＲＰＤシリーズを用いることができる。
【００２９】
また、表面シート４は、基板２の一方の基板表面９に前記接着剤３ａによって貼付けられる矩形の基部４ａと、基部４ａの４辺にそれぞれ連なり、基板２の厚み方向（図１の上下方向）に延びる各側面１０ａ〜１０ｄに両面粘着テープによってそれぞれ貼付けられる側面折返し部４ｂ１〜４ｂ４と、各側面折返し部４ｂ１〜４ｂ４にそれぞれ連なり、基板２の他方の基板表面である裏面１１に両面粘着テープによってそれぞれ貼付けられる裏面折返し部４ｃ１〜４ｃ４とを有する。
【００３０】
表面シート４は、図３の展開図に示すように、基部４ａ、側面折返し部４ｂ１〜４ｂ４、および裏面折返し部４ｃ１〜４ｃ４が一体的に形成される１枚のシートであり、この１枚のシートを図４に示すように折り曲げて、基板２にくるみ貼りされている。
【００３１】
表面シート４の基部４ａには、正規の碁盤の碁盤格子が印刷されている。すなわち、表面シート４の基部４ａには、正規の碁盤表面を再現した、１９本×１９本の碁盤格子を構成する印刷層１４が印刷により形成されている。ここで、碁盤格子の最外格子の寸法は、正規の碁盤と同一の、図２で示されるＬ３が約４２５ｍｍであり、Ｌ４が約３９０ｍｍである。また、基板２の周縁端部から碁盤格子の最外格子までの寸法は、正規の碁盤と同一の、図２で示されるＬ５が約１０ｍｍであり、Ｌ６が１５ｍｍである。また、碁盤格子で囲まれる１つの碁盤目の寸法は、正規の碁盤と同一の、図２で示されるＬ７×Ｌ８が約２３．６ｍｍ×約２１．７ｍｍである。
【００３２】
なお、表面シート４の基部４ａに正規の碁盤の碁盤格子を形成する印刷方法としては、正規の碁盤の表面を写真撮影し、その撮影した写真に基づいた印刷用製版を作製して印刷が行われる。
【００３３】
さらに、表面シート４の基部４ａには、碁盤格子を構成する印刷層１４の上に、ラッカー塗料などの透明なコーティング剤が塗布され、このコーティング剤が硬化して被覆層１３が形成される。このような被覆層１３によって、碁石の当接などによって基部４ａの損傷が防がれるとともに、基部４ａに印刷された、碁盤格子を構成する印刷層１４の損傷が防がれる。
【００３４】
なお、表面シート４の基部４ａ上に形成される碁盤格子を構成する印刷層１４は、印刷によって形成されることに限定されるものではなく、カラーコピーによって形成してもよい。
【００３５】
基板２の裏面１１に貼付けられた裏面シート６は、表面シート４と同じ材質である耐水性の紙から成る。また、基板２の裏面１１には、裏面シート６上に、幅寸法が約１０ｍｍの帯状の滑り止め材８Ａ，８Ｂ，８Ｃ，８Ｄが貼付けられている。
【００３６】
滑り止め材８Ａ，８Ｂ，８Ｃは、両面粘着テープ７によって図５の左右方向である幅方
向に間隔をあけて中央と両側部にそれぞれ貼付けられる。また、滑り止め材８Ｄは、基板２の周縁端部から約５ｍｍの間隔をあけて、基板２の外周縁に沿って全周にわたって、両面粘着テープ７によって貼付けられる。両面粘着テープ７は、可撓性を有する合成樹脂フィルムから成る基層７ａと、基層７ａの両面にそれぞれ形成される粘着層７ｂ，７ｃとを有する。粘着層７ｂ，７ｃは、たとえばアクリル系接着剤から成る。
【００３７】
前記滑り止め材８は、図１および図６に示すように、可撓性を有する合成樹脂製のシートまたは紙から成る基層８ａと、基層８ａの一表面上に積層される粘着剤から成る粘着層８ｂと、粘着層８ｂの一表面に積層される、たとえばポリエステルなどの発泡合成樹脂から成る表層８ｃとを有する。前記粘着層８ｂは、たとえばゴム系接着剤から成る。
【００３８】
滑り止め材８の表層８ｃは、図６に示すように凹凸形状に形成されているので、このような滑り止め材８の表層８ｃが机などの平坦面上に接触することによって、外力に対して大きな静止摩擦力を発生し、軽量本格的碁盤１の移動を抑制することができる。
【００３９】
以上のように、本実施形態の軽量本格的碁盤１は、表面シート４が新建材の基板２の基板表面９に貼付けられて構成されている。この基板２に貼付けられる表面シート４は、耐水性の紙から成り、正規の碁盤表面が印刷されたものである。基板２が新建材によって構成されているので、軽量化が図れ、かつ軽量本格的碁盤１に碁石を載置したときに木の感触が得られるとともに、机などの平坦な載置面上で移動することなく安定に載置することができる。
【００４０】
また、基板２に貼付けられる表面シート４は、耐水性の紙から成り、正規の碁盤の碁盤格子が印刷されたものであるので、耐水性が良好で汚れ難いものとなり、長期にわたって使用することができる。
【００４１】
したがって、本実施形態の軽量本格的碁盤１は、机上で使用可能で正規の碁盤と変わらない大きさの機能を有し、軽くて扱い易く、本格的な囲碁を楽しむことができる碁盤を実現することができる。
【００４２】
また本実施形態の軽量本格的碁盤１では、基板２に貼付けられる表面シート４は、基板２の側面から裏面１１にわたって折り曲げられて、基板２にくるみ貼りされている。また、基板２の裏面１１には、表面シート４と同じ材質である耐水性の紙から成る裏面シート６が貼付けられている。これによって、たとえば、軽量本格的碁盤１を立てかけて保管した場合であっても、反りなどの変形が発生するのを防止することができるとともに、表面シート４および裏面シート６が基板から剥がれること、および角部が損傷することを防止することができる。
【００４３】
また本実施形態の軽量本格的碁盤１では、基板２の裏面１１には、裏面シート６上に、滑り止め材８が貼着されている。これによって、軽量本格的碁盤１を、机などの平坦な載置面上で移動することなく安定に載置することができる。
【００４４】
図７は、本発明の他の実施形態の軽量本格的碁盤１ａを示す斜視図であり、図８は図７に示す軽量本格的碁盤１ａの底面図であり、図９は軽量本格的碁盤１ａを折り畳んだ状態を示す斜視図であり、図１０は軽量本格的碁盤１ａの構成を示す図である。なお、図１０（ａ）は軽量本格的碁盤１ａの一部の拡大断面図であり、図１０（ｂ）は図９の切断面線ＶＩＩ−ＶＩＩから見た断面図である。なお、前述の実施形態と対応する部分には同一の参照符を付し、重複する説明は省略する。
【００４５】
本実施形態の軽量本格的碁盤１ａでは、碁盤格子に沿って細長く延びる同一寸法形状の
一対の碁盤半体２ａ，２ｂによって基板２が構成される。一対の碁盤半体２ａ，２ｂの互いに隣接して配置される一側部が製本テープ１５，１６によって補強された状態で折り曲げ自在に粘着され、折り畳み可能な軽量本格的碁盤１ａが構成される。このような製本テープ１５，１６によって折り曲げ自在に連結された一対の碁盤半体２ａ，２ｂによって基板２が構成され、前述の軽量本格的碁盤１と同様に、設置状態で高い安定性を有し、碁石などに対して損傷しにくい軽量本格的碁盤１ａが実現される。
【００４６】
本実施形態の軽量本格的碁盤１ａにおいて、一対の碁盤半体２ａ，２ｂは、製本テープ１５，１６によって補強された状態で折り曲げ自在に連結されているので、軽量本格的碁盤１ａを折り曲げ自在とした上で、平坦状に展開した使用時において折り曲げ部分に段差がなく、製本テープ１５，１６の補強効果によって、繰り返される折り曲げに十分耐えることができる。
【００４７】
なお、本実施形態の軽量本格的碁盤１ａは、正規の碁盤表面を再現した、碁盤格子を構成する印刷層１４が印刷された表面シート４側が内側となるように、折り畳み可能である。これによって、軽量本格的碁盤１ａを折り畳んだ状態で保管する場合に、表面シート４上に印刷された碁盤格子を構成する印刷層１４の損傷が防がれる。
【００４８】
また、本実施形態の軽量本格的碁盤１ａでは、滑り止め材８Ａ，８Ｂ，８Ｃ，８Ｄが各碁盤半体２ａ，２ｂの両側部に平行に貼り付けられ、滑り止め材８Ｅが一対の碁盤半体２ａ，２ｂによって構成される基板２の周縁端部から約５ｍｍの間隔をあけて、基板２の外周縁に沿って全周にわたって貼り付けられる。これによって軽量本格的碁盤１ａを平坦状に展開した状態で机などの載置面に載置したとき、軽量本格的碁盤１ａが均一に机の載置面上に支持され、遊技者の接触によって移動することが防がれ、高い平面性を保った状態で遊技を行うことができる。
【００４９】
本発明の軽量本格的碁盤の技術思想は、碁盤だけでなく、将棋、チェス、オセロなどの盤上で行うためのゲーム用具に適用することができ、同様な効果を奏することができる。
【符号の説明】
【００５０】
１  軽量本格的碁盤
２  基板
３ａ，５ａ  接着剤
４  表面シート
６  裏面シート
７  両面接着テープ
８  滑り止め材
１５，１６  製本テープ
【図１】
2015058197.tif 000003
【図２】
2015058197.tif 000004
【図３】
2015058197.tif 000005
【図４】
2015058197.tif 000006
【図５】
2015058197.tif 000007
【図６】
2015058197.tif 000008
【図７】
2015058197.tif 000009
【図８】
2015058197.tif 000010
【図９】
2015058197.tif 000011
【図１０】
2015058197.tif 000012